(57)【要約】【課題】  弁体を弁座に強制的に着座させて強制閉弁させたりありいは弁体を弁座から強制的に離座させて強制開弁させたりすることができ真空破壊弁を提供する。【解決手段】  本体１と蓋部材２から成る弁ケーシングで大気口４と弁室３と流入口６を形成する。大気口４と弁室３の間に環状弁座５を設ける。環状弁座５を開閉するディスク状弁体７を弁室３内に配置する。ディスク状弁体７を環状弁座５へ付勢するコイルバネ８を設ける。蓋部材２を気密的に貫通して進退操作可能に強制操作棒９を配置する。強制操作棒９の内端にフランジ１４を設けディスク状弁体７の連結棒１２にフランジ１３を設けて、強制操作棒９の位置に応じてディスク状弁体７を環状弁座５に着座させて強制閉弁させあるいはディスク状弁体７を環状弁座５から離座させて強制開弁させあるいはディスク状弁体７の環状弁座５への離着座を妨げないように強制操作棒９とディスク状弁体７を連結する。【選択図】 図１
2009121611.tif 000002
【特許請求の範囲】
【請求項１】
弁ケーシングで流体配管系に接続される流入口と弁室と大気に開口される大気口を形成し、大気口と弁室の間に弁座を設け、弁座を開閉する弁体を弁室内に配置し、弁体を弁座へ付勢するバネを設けたものにおいて、弁ケーシングを気密的に貫通して進退操作可能に強制操作棒を配置し、強制操作棒の内端と弁体にフランジを設けて、強制操作棒の位置に応じて弁体を弁座に着座させて強制閉弁させあるいは弁体を弁座から離座させて強制開弁させあるいは弁体の弁座への離着座を妨げないように強制操作棒と弁体を連結したことを特徴とする真空破壊弁。
【発明の詳細な説明】
【技術分野】
【０００１】
本発明は、流体配管や流体機器等の流体配管系に接続して流体配管系が真空状態になったときに大気を導入して真空状態を破壊する真空破壊弁に関する。
【背景技術】
【０００２】
真空破壊弁は、弁ケーシングで流体配管系に接続される流入口と弁室と大気に開口される大気口を形成し、大気口と弁室の間に弁座を設け、弁座を開閉する弁体を弁室内に配置し、弁体を弁座へ付勢するバネを設けたもので、常時は弁体が弁座に着座して弁座を閉弁し流入口側が真空状態になったときに弁体が弁座から離座して弁座を開弁するものである。
【０００３】
上記従来の真空破壊弁は、弁体が弁座に自動的に離着座することにより、常時は弁体が弁座を自動的に閉弁し流入口側が真空状態になったときに弁体が弁座を自動的に開弁できるものであるが、弁体を弁座に強制的に着座させて強制閉弁させたりありいは弁体を弁座から強制的に離座させて強制開弁させたりすることができない問題点があった。
【特許文献１】特開２００５−９０５４３
【発明の開示】
【発明が解決しようとする課題】
【０００４】
解決しようとする課題は、弁体を弁座に強制的に着座させて強制閉弁させたりありいは弁体を弁座から強制的に離座させて強制開弁させたりすることができ真空破壊弁を提供することである。
【課題を解決するための手段】
【０００５】
本発明は、弁ケーシングで流体配管系に接続される流入口と弁室と大気に開口される大気口を形成し、大気口と弁室の間に弁座を設け、弁座を開閉する弁体を弁室内に配置し、弁体を弁座へ付勢するバネを設けたものにおいて、弁ケーシングを気密的に貫通して進退操作可能に強制操作棒を配置し、強制操作棒の内端と弁体にフランジを設けて、強制操作棒の位置に応じて弁体を弁座に着座させて強制閉弁させあるいは弁体を弁座から離座させて強制開弁させあるいは弁体の弁座への離着座を妨げないように強制操作棒と弁体を連結したことを特徴とする。
【発明の効果】
【０００６】
本発明の真空破壊弁では、強制操作棒を進退操作せしめることにより、弁体を弁座に着座させて強制閉弁させたり弁体を弁座から離座させて強制開弁させたり弁体の弁座への離陸着座を妨げないようにできる。そのため、弁体を弁座に強制的に着座させて強制閉弁させたりありいは弁体を弁座から強制的に離座させて強制開弁させたりすることができる真空破壊弁を提供できるという優れた効果を生じる。
【発明を実施するための最良の形態】
【０００７】
本発明の真空破壊弁は、弁ケーシングを気密的に貫通して進退操作可能に強制操作棒を配置し、強制操作棒の内端と弁体にフランジを設けて、強制操作棒の位置に応じて弁体を弁座に着座させて強制閉弁させあるいは弁体を弁座から離座させて強制開弁させあるいは弁体の弁座への離着座を妨げないように強制操作棒と弁体を連結したものである。そのため、強制操作棒を弁体の弁座への離着座を妨げない位置に操作すると、弁体が弁座に自動的に離着座して弁座を開閉する。弁体を弁座に強制的に着座させる位置に強制操作棒を操作すると、弁座を強制閉弁できる。弁体を弁座から強制的に離座させる位置に強制操作棒を操作すると、弁座を強制開弁できる。
【実施例１】
【０００８】
上記の技術的手段の具体例を示す実施例を説明する（図１参照）。本体１と蓋部材２から弁ケーシングを構成し、弁ケーシング内に弁室３を形成する。本体１に大気に開口される大気口４と、大気口４の弁室３側開口端に設けた環状弁座５と、流体配管系に接続される流入口６とを形成する。環状弁座５に離着座して環状弁座５を開閉するディスク状弁体７を環状弁座５に対向して弁室３内に配置する。ディスク状弁体７と蓋部材２の間にディスク状弁体７を環状弁座５に付勢するコイルバネ８を配置する。
【０００９】
蓋部材２に強制操作棒９を貫通してねじ結合する。蓋部材２に強制操作棒９との間の気密を保つためのＯリング１０を配置する。強制操作棒９は外端にハンドル１１を連結して回転できるようにする。これにより、強制操作棒９をねじ進退操作可能にする。強制操作棒９の内端に穴を開け、ディスク状弁体７に固着した連結棒１２を挿入する。連結棒１２の先端にフランジ１３を設け、強制操作棒９の穴の下端にスナップリング等を嵌めて内向きのフランジ１４を設け、強制操作棒９とディスク状弁体７を連結する。これにより、強制操作棒９をねじ込めば、その内端の穴の奥壁が連結棒１２のフランジ１３に当接し、ディスク状弁体７を環状弁座５に強制的に着座させて環状弁座５を強制閉弁させる。強制操作棒９をねじ戻せば、強制操作棒９のフランジ１４が連結棒１２のフランジ１３に当接し、ディスク状弁体７を環状弁座５から強制的に離座させて環状弁座５を強制開弁させる。強制操作棒９を上記の中間位置にすれば、ディスク状弁体７は強制操作棒９に妨げられずに環状弁座５に自動的に離着座して環状弁座５を自動的に開閉する。
【００１０】
図１は強制操作棒９が中間位置に操作され、流入口６側の流体圧力及びコイルバネ８のバネ付勢力が大気口４の流体圧力よりも大きな常時であり、ディスク状弁体７が環状弁座５に自動的に着座して環状弁座５を自動的に閉弁した状態を示している。流入口６側が真空状態になり、流入口６の流体圧力及びコイルバネ８のバネ付勢力が大気口４の流体圧力よりも小さくなると、ディスク状弁体７がコイルバネ８を圧縮して環状弁座５から自動的に離座して環状弁座５を自動的に開弁する。これにより、大気口４から流入口６側に大気を導入して真空状態を破壊する。
【００１１】
環状弁座５を強制閉弁させるときは、強制操作棒９をねじ込んでディスク状弁体７を環状弁座５に強制的に着座させる。環状弁座５を強制開弁させるときは、強制操作棒９をねじ戻してディスク状弁体７を環状弁座５から強制的に離座させる。
【図面の簡単な説明】
【００１２】
【図１】本発明の真空破壊弁の実施例を示す断面図。
【符号の説明】
【００１３】
１  本体
２  蓋部材
３  弁室
４  大気口
５  環状弁座
６  流入口
７  ディスク状弁体
８  コイルバネ
９  強制操作棒
１０  Ｏリング
１１  ハンドル
１２  連結棒
１３  フランジ
１４  フランジ
【図１】
2009121611.tif 000003